(57)【要約】【課題】入居者の多種多様なライフスタイルに合ったハングルームを構築することのできるハングルーム用ハンガーを提供する。【解決手段】天井（２）から縦方向に延びるように吊り架けられる少なくとも２本の吊り架け部材（１１Ａ，１１Ｂ）と、該吊り架け部材間に跨るように連結された横方向に延びる支持部材（１２Ａ，１２Ｂ）により形成される鉛直平面形枠を含むハングルーム用ハンガー（１）であって、前記鉛直平面形枠内に種々の物品が吊り架けられることによって、入居者のライフスタイルに合う仕切りを室内空間に形成する構成とする。【選択図】図１
2018038735.tif 000002
【特許請求の範囲】
【請求項１】
天井から縦方向に延びるように吊り架けられる少なくとも２本の吊り架け部材と、該吊り架け部材間に跨るように連結された横方向に延びる支持部材により形成される鉛直平面形枠を含むハングルーム用ハンガーであって、
前記鉛直平面形枠内に種々の物品が吊り架けられることによって、入居者のライフスタイルに合う仕切りを室内空間に形成することを特徴とするハングルーム用ハンガー。
【請求項２】
前記吊り架け部材は、天井側に設置された吊り機構に着脱可能になっており、
前記吊り機構を天井に複数設置して、前記ハングルーム用ハンガーが室内空間の入居者の好みの位置に吊り架け自在になっていることを特徴とする請求項１に記載のハングルーム用ハンガー。
【請求項３】
観賞用植物，絵画などの美術品、及び／又は、衣服，食器，自転車，映写スクリーンなどの生活用品を前記鉛直平面形枠内に吊り架けて入居者のライフスタイルに合う仕切りを室内空間に形成することを特徴とする請求項１又は２に記載のハングルーム用ハンガー。
【発明の詳細な説明】
【技術分野】
【０００１】
本発明は、「吊る」という概念を取り入れて入居者の多種多様なライフスタイルに合う部屋（＝ハングルーム）を構築するためのハングルーム用ハンガーに関し、特に、天井に吊り架けられた鉛直平面形枠内に種々の物品を吊り架けることによって入居者のライフスタイルに合う仕切りを室内空間に形成することのできるハングルーム用ハンガーに関する。
【背景技術】
【０００２】
住まいやオフィスなどの不動産物件の魅力を高めるために、種々のアイディアを取り込んだリノベーションや新築設計などが行われている。リノベーション等は、不動産業者，建築デザイナー，工務店などの専門業者が行ったり、ＤＩＹにより入居者自ら行ったりしているが、求めるところは、入居者のライフスタイルに合った魅力のある部屋作りをすることにある。
【０００３】
室内環境に大きく影響する要素の一つに、間取りがある。間取りは、建築段階の平面計画によって決まっているものであるが、例えば天井から吊り架けるタイプのパーテーションやスライド式の壁（移動壁）などによって、入居者自身が追加的に変更することも行われている（例えば、特許文献１〜２参照）。
【先行技術文献】
【特許文献】
【０００４】
【特許文献１】特開２００９−２４０３５８号公報
【特許文献２】特開２０１３−３２６４７号公報
【発明の概要】
【発明が解決しようとする課題】
【０００５】
しかしながら、パーテーションやスライド式の壁による追加の間仕切りは、部屋の数を便宜上増やす為、冷房や暖房の効きを良くする為といったように直面する生活上の課題を解消する目的で行われていることが多く、必ずしも魅力のある部屋作りとは合致しない。また、たとえパーテーションやスライド式の簡易なものであっても、室内に壁を擁立することは、入居者にとって圧迫感が増すことになる。
【０００６】
本発明者らは、「吊る」という概念で魅力のある部屋作りを行える新しいタイプの部屋（＝ハングルーム）創作し、実際に具現化することに成功した。
【０００７】
すなわち、本発明は、このような事情に基づいてなされたものであり、その目的は、入居者の多種多様なライフスタイルに合ったハングルームを構築することのできるハングルーム用ハンガーを提供することにある。
【課題を解決するための手段】
【０００８】
本発明の要旨とするところは、以下の通りである。
（１）本発明のハングルーム用ハンガーは、天井から縦方向に延びるように吊り架けられる少なくとも２本の吊り架け部材と、該吊り架け部材間に跨るように連結された横方向に延びる支持部材により形成される鉛直平面形枠を含むハングルーム用ハンガーであって、前記鉛直平面形枠内に種々の物品が吊り架けられることによって、入居者のライフスタイルに合う仕切りを室内空間に形成することを特徴とする。
（２）前記吊り架け部材は、天井側に設置された吊り機構に着脱可能になっており、前記吊り機構を天井に複数設置して、前記ハングルーム用ハンガーが室内空間の入居者の好みの位置に吊り架け自在になっている。
（３）好ましくは、観賞用植物，絵画などの美術品、及び／又は、衣服，食器，自転車，映写スクリーンなどの生活用品を前記鉛直平面形枠内に吊り架けて入居者のライフスタイルに合う仕切りを室内空間に形成する。
【発明の効果】
【０００９】
本発明によれば、天井から縦方向に延びるように吊り架けられる少なくとも２本の吊り架け部材と、該吊り架け部材間に跨るように連結された横方向に延びる支持部材により形成される鉛直平面形枠を含むハンガーを用い、前記鉛直平面形枠内に種々の物品が吊り架けられて入居者のライフスタイルに合う仕切りを室内空間に形成することにより、魅力のある部屋作りのために「吊る」という概念を取り入れた「ハングルーム」という新しいタイプの部屋を具現化することができる。
【図面の簡単な説明】
【００１０】
【図１】本発明の好ましい実施形態に従うハングルーム用ハンガーを天井に吊り架けた状態を示す図である。
【図２】上記ハングルーム用ハンガーの構成を示す斜視図である。
【図３】上記ハングルーム用ハンガーの取り付け位置を説明する図である。
【図４】上記ハングルーム用ハンガーに種々の物品を吊架けた状態を示す図である。
【図５】上記ハングルーム用ハンガーを実際に部屋に取付けた状態を示す図である。
【図６】上記ハングルーム用ハンガーを実際に部屋に取付けた状態を示す図である。
【図７】上記ハングルーム用ハンガーを実際に部屋に取付けた状態を示す図である。
【図８】上記ハングルーム用ハンガーを実際に部屋に取付けた状態を示す図である。
【発明を実施するための形態】
【００１１】
以下、本発明の好ましい実施形態に従うハングルーム用ハンガーについて、添付図面を参照しながら詳しく説明する。但し、以下に説明する実施形態によって本発明の技術的範囲は何ら限定解釈されることはない。
【００１２】
本実施形態に従うハングルーム用ハンガーを図１及び図２に示す。図１は、ハングルーム用ハンガー１を天井２に吊り架けた状態を示しており、図２は、ハングルーム用ハンガー１の各部の構成を示している。本実施形態に従うハングルーム用ハンガー１（以下、単に「ハンガー」と称する場合がある）は、天井２から縦方向に延びるように吊り架けられる２本の吊り架け部材としての縦の棒状部材１１Ａ，１１Ｂと、この２本の縦の棒状部材間に跨るように連結される支持部材としての上下２段の横の棒状部材１２Ａ，１２Ｂを備えており、これら４本の棒状部材（１１Ａ，１１Ｂ，１２Ａ，１２Ｂ）によって囲われる長方形状の鉛直平面形枠が形成されている。
【００１３】
縦の棒状部材１１Ａ，１１Ｂ及び横の棒状部材１２Ａ，１２Ｂには、好ましくは円筒形のパイプ部材が用いられる。パイプ部材の好ましい材質は、鉄、ステンレス、アルミニウムといった金属である。但し、詳しくは後述する美術品や生活用品などの物品を吊り架けられる強度があれば、樹脂などの金属以外の材質を用いてもよい。金属製のパイプ部材を用いた場合、パイプ部材同士を例えば溶接することによって、ハンガー１を製作することができる。
【００１４】
ハンガー１の寸法は、部屋の大きさなどに応じて適宜設定可能である。室内空間を仕切るハンガー１の寸法の一例として、４本の棒状部材（１１Ａ，１１Ｂ，１２Ａ，１２Ｂ）によって形成される鉛直平面形枠の長辺（横辺）を２ｍ〜５ｍ、短辺（縦辺）を１ｍ〜３ｍの範囲内に設定することができる。さらに、縦の棒状部材１１Ａ，１１Ｂの鉛直平面形枠から天井方向に延びる部分１１Ｃの長さは、一例として、０．２ｍ〜１ｍの範囲内になるように設定することができる。パイプ部材を用いた場合の４本の棒状部材（１１Ａ，１１Ｂ，１２Ａ，１２Ｂ）の太さは、一例として、直径が１０ｍｍ〜２５ｍｍの範囲内に設定することができる。なお、縦の棒状部材１１Ａ，１１Ｂと横の棒状部材１２Ａ，１２Ｂは、同じ太さであってもよく、異なる太さであってもよい。
【００１５】
縦の棒状部材１１Ａ，１１Ｂの上部側には、縦の棒状部材１１Ａ，１１Ｂよりも外径の小さい棒状部材である高さ調整部材１３Ａ，１３Ｂが上下方向にスライド自在なように挿入されている。高さ調整部材１３Ａ，１３Ｂ自体の長さは、一例として０．５〜２ｍの範囲内に設定することができる。高さ調整部材１３Ａ，１３Ｂも、縦の棒状部材１１Ａ，１１Ｂと同様に、好ましくは円筒形のパイプ部材を用いる。特に図２に示すように、縦の棒状部材１１Ａ，１１Ｂの側周面には、円形の貫通孔１４Ａ，１４Ｂが形成されており、高さ調整部材１３Ａ，１３Ｂの側周面には、長さ方向に間隔をおいて複数の貫通孔１５Ａ，１５Ｂが形成されている。そして、固定手段としてのピン部材１６を、縦の棒状部材１１Ａ，１１Ｂの外周面から貫通孔（１４Ａと１５Ａ，１４Ｂと１５Ｂ）に通すことによって、高さ調整部材１３Ａ（１３Ｂ）が縦の棒状部材１１Ａ（１１Ｂ）に固定されるようになっている。すなわち、上下方向にスライド自在な高さ調整部材１３Ａ，１３Ｂと固定手段であるピン部材１６によって高さ調整機構が構成され、天井２に吊り架けられるハンガー１の高さ位置が調整可能になっている。ハンガー１の高さは、ハングルームの好ましい一例として、下段の横の棒状部材１２Ｂが床から例えば０．５〜１ｍ、或いは１ｍ以上の高さになるように設定することができる。さらに、高さ調整機構は、２本の縦の棒状部材１１Ａ，１１Ｂの各々に独立して設けられているので、天井２が段差になっているなど高さが異なる場合であっても、各々の長さを調節することによってハンガー１を水平姿勢に吊り架けることができるようになっている。
【００１６】
高さ調整部材１３Ａ，１３Ｂの先端には、リング部材１７Ａ，１７Ｂが設けられている。一方、天井２にはフック部材２１Ａ，２１Ｂが設けられている。そして、入居者がハンガー１を持ち上げて、高さ調整部材側のリング部１７Ａ，１７Ｂを、天井側のフック部材２１Ａ，２１Ｂに掛けることによって、ハンガー１を天井２に吊り架けることができるようになっている。但し、リング部材１７Ａ，１７Ｂとフック部材２１Ａ，２１Ｂにより構成される吊り機構は、好ましい一例であり、他の部材に変更することを制限するものではない。
【００１７】
天井側の吊り機構であるフック部材２１Ａ，２１Ｂは、天井２に複数配置することができる。図３には、一例として図１に示した部屋の全体の間取りを使って、フック部材２１の配置位置の一例を示している。なお、この部屋は、元々３ＬＤＫであったものを、リノベーションのためにワンルームとしたものである。図３には、部屋の壁に対してハンガー１が平行に取り付け可能なように複数のフック部材２１を配列した例を示している。この場合、入居者は、好みに応じて位置Ａ〜Ｋから選択される位置にハンガー１を吊り架けることが可能である。部屋内に取り付けるハンガー１は一つに限らず、複数取り付けるようにしてもよい。また、壁に対する配置も、平行に限らない。さらに、ハンガー１を吊り架けるのに使用されていないフック部材２１は、別の物品等を吊り架けるのに使用してもよい。
【００１８】
以上、ハングルーム用ハンガー１の好ましい構成の一例を示したが、変形例として次のように構成することもできる。すなわち、縦及び横の棒状部材１１Ａ，１１Ｂ，１２Ａ，１２Ｂは、直線状でなくてもよく、波型などに湾曲していてもよく、ジグザグなどに折れ曲がっていてもよい。断面形状も円形に限らない。また、天井２から縦方向に延びるように吊り架けられる吊り架け部材は、縦の棒状部材１１Ａ，１１Ｂに代えて鎖状部材などの他の部材を用いるようにしてもよい。すなわち、鉛直平面形枠が形成されていればよい。さらに、上下２段の横の棒状部材１２Ａ，１２Ｂのうち、下段の方を省略してコの字状の鉛直平面形枠としてもよい。さらには、縦の棒状部材１１Ａ，１１Ｂ及び横の棒状部材１２Ａ，１２Ｂの数を増やすようにしてもよい。さらにまた、２以上のハンガー同士を直列又は並列に、或いは９０度等の角度を持たせて連結するようにしてもよい。
【００１９】
上記ハンガー１には、一例を図４に示すように、入居者のライフスタイルに合う種々の物品を吊り架けることができる。物品の吊り架けは、特に上段側の横の棒状部材１２Ａを利用して行い、物品を鉛直平面形枠内に位置させるのが好ましい。物品は、図４（ａ）に示すように衣服や鞄等を吊り架けたり、図４（ｂ）に示すように自転車等を吊り架けたり、図４（ｃ）に示すように観賞用植物や調理器具等を吊り架けたり、図４（ｄ）に示すように絵画等を吊り架けたり、或いは、後述する映写用スクリーンを吊り架けたりすることができる。勿論、これらの美術品や生活用品は一例であり、入居者のライフスタイルに合った種々の物品を吊り架けることができる。
【実施例】
【００２０】
続いて、ハングルーム用ハンガー１を用いて実際にハングルームを構築した実施例について説明する。この実施例では、直径約２７ｍｍの鉄製のパイプ部材を用いて、鉛直平面形枠の長辺（横辺）を約２４００ｍｍ、短辺（縦辺）を約９７０ｍｍ（部分１１Ｃが約２５５ｍｍ）に設定したハンガー１を製作した。そして、図３の位置Ａ、位置Ｂ、位置Ｃにハンガー１を吊り架けてハングルームを構築した。
【００２１】
まず図５及び図６は、位置Ｂにハンガー１を吊り架けてハングルームを構築した実施例である。この実施例では、広いワンルームにおけるリビングエリアとキッチンエリアを仕切っている。図５は、リビングエリア側から見た様子を示し、図６は、キッチンエリア側から見た様子を示して。図５及び図６を見れば理解できるように、従来のパーテーションや移動式の壁で仕切るのとは、全く印象が異なる仕切りを実現しているのが明らかである。そして、入居者のライフスタイルに合った種々の物品を吊り架けることで魅力のあるハングルームを構築できていることも理解できる。
【００２２】
次に、図７は、位置Ｃにハンガー１を吊り架けてハングルームを構築した実施例である。この実施例では、広いワンルームにおけるリビングエリアと寝室エリアを仕切るようにしている。図７に示されているように、上記実施例（図５〜図６）と同様、入居者のライフスタイルに合った物品を吊り架けることで魅力のあるハングルームを構築できていることが理解できる。さらに、本実施例（図７）及び上記実施例（図５〜図６）に基づけば、広いワンルームを入居者が自由に自分好みに仕切ることができているのも理解できる。
【００２３】
続いて、図８は、位置Ａにハンガー１を吊り架けてハングルームを構築した実施例である。この実施例は、入居者が映画観賞等をする際に、ハンガー１に映写用スクリーンを吊り架けた例である。より詳しくは、一枚ものの布をハンガー１に吊り架けている。そして、プロジェクター（不図示）を使ってスクリーンに映画等を映し出す。このように、ハンガー１によって構築されるハングルームは、恒久的なものでなく、趣味に合わせて一時的に部屋を作り変えることも可能になっている。
【００２４】
以上の説明から明らかなように、天井２に吊り架けられるハングルーム用ハンガー１を用いて、入居者のライフスタイルに合う仕切りを室内空間に形成することにより、魅力のある部屋作りのために「吊る」という概念を取り入れた「ハングルーム」という新しいタイプの部屋を具現化することができる。
【００２５】
以上、本発明を具体的な実施形態に則して詳細に説明したが、形式や細部についての種々の置換、変形、変更等が、特許請求の範囲の記載により規定されるような本発明の精神及び範囲から逸脱することなく行われることが可能であることは、当該技術分野における通常の知識を有する者には明らかである。
【符号の説明】
【００２６】
１  ハングルーム用ハンガー
１１Ａ，１１Ｂ  縦の棒状部材
１２Ａ，１２Ｂ  横の棒状部材
１３Ａ，１３Ｂ  高さ調整部材
１７Ａ，１７Ｂ  リング部材
２１Ａ，２１Ｂ  フック部材    
【図１】
2018038735.tif 000003
【図２】
2018038735.tif 000004
【図３】
2018038735.tif 000005
【図４】
2018038735.tif 000006
【図５】
2018038735.tif 000007
【図６】
2018038735.tif 000008
【図７】
2018038735.tif 000009
【図８】
2018038735.tif 000010
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
天井から縦方向に延びるように吊り架けられる少なくとも２本の吊り架け部材と、該吊り架け部材間に跨るように連結された横方向に延びる支持部材により形成される鉛直平面形枠を含むハングルーム用ハンガーであって、
前記鉛直平面形枠内が空間を形成しており、該空間内に種々の物品が吊り下げられることによって、入居者のライフスタイルに合う仕切りを室内空間に形成することを特徴とするハングルーム用ハンガー。
【請求項２】
前記吊り架け部材は、天井側に設置された吊り機構に着脱可能になっており、
前記吊り機構を天井に複数設置して、前記ハングルーム用ハンガーが室内空間の入居者の好みの位置に吊り架け自在になっていることを特徴とする請求項１に記載のハングルーム用ハンガー。
【請求項３】
観賞用植物，絵画などの美術品、及び／又は、衣服，食器，自転車，映写スクリーンなどの生活用品を前記鉛直平面形枠内に形成される空間内に吊り下げて入居者のライフスタイルに合う仕切りを室内空間に形成することを特徴とする請求項１又は２に記載のハングルーム用ハンガー。
【手続補正２】
【補正対象書類名】明細書
【補正対象項目名】全文
【補正方法】変更
【補正の内容】
【発明の詳細な説明】
【技術分野】
【０００１】
本発明は、「吊る」という概念を取り入れて入居者の多種多様なライフスタイルに合う部屋（＝ハングルーム）を構築するためのハングルーム用ハンガーに関し、特に、天井に吊り架けられた鉛直平面形枠内に形成された空間内に種々の物品を吊り下げることによって入居者のライフスタイルに合う仕切りを室内空間に形成することのできるハングルーム用ハンガーに関する。
【背景技術】
【０００２】
住まいやオフィスなどの不動産物件の魅力を高めるために、種々のアイディアを取り込んだリノベーションや新築設計などが行われている。リノベーション等は、不動産業者，建築デザイナー，工務店などの専門業者が行ったり、ＤＩＹにより入居者自ら行ったりしているが、求めるところは、入居者のライフスタイルに合った魅力のある部屋作りをすることにある。
【０００３】
室内環境に大きく影響する要素の一つに、間取りがある。間取りは、建築段階の平面計画によって決まっているものであるが、例えば天井から吊り架けるタイプのパーテーションやスライド式の壁（移動壁）などによって、入居者自身が追加的に変更することも行われている（例えば、特許文献１〜２参照）。
【先行技術文献】
【特許文献】
【０００４】
【特許文献１】特開２００９−２４０３５８号公報
【特許文献２】特開２０１３−３２６４７号公報
【発明の概要】
【発明が解決しようとする課題】
【０００５】
しかしながら、パーテーションやスライド式の壁による追加の間仕切りは、部屋の数を便宜上増やす為、冷房や暖房の効きを良くする為といったように直面する生活上の課題を解消する目的で行われていることが多く、必ずしも魅力のある部屋作りとは合致しない。また、たとえパーテーションやスライド式の簡易なものであっても、室内に壁を擁立することは、入居者にとって圧迫感が増すことになる。
【０００６】
本発明者らは、「吊る」という概念で魅力のある部屋作りを行える新しいタイプの部屋（＝ハングルーム）創作し、実際に具現化することに成功した。
【０００７】
すなわち、本発明は、このような事情に基づいてなされたものであり、その目的は、入居者の多種多様なライフスタイルに合ったハングルームを構築することのできるハングルーム用ハンガーを提供することにある。
【課題を解決するための手段】
【０００８】
本発明の要旨とするところは、以下の通りである。
（１）本発明のハングルーム用ハンガーは、天井から縦方向に延びるように吊り架けられる少なくとも２本の吊り架け部材と、該吊り架け部材間に跨るように連結された横方向に延びる支持部材により形成される鉛直平面形枠を含むハングルーム用ハンガーであって、前記鉛直平面形枠内が空間を形成しており、該空間内に種々の物品が吊り下げられることによって、入居者のライフスタイルに合う仕切りを室内空間に形成することを特徴とする。
（２）前記吊り架け部材は、天井側に設置された吊り機構に着脱可能になっており、前記吊り機構を天井に複数設置して、前記ハングルーム用ハンガーが室内空間の入居者の好みの位置に吊り架け自在になっている。
（３）好ましくは、観賞用植物，絵画などの美術品、及び／又は、衣服，食器，自転車，映写スクリーンなどの生活用品を前記鉛直平面形枠内に形成される空間内に吊り下げて入居者のライフスタイルに合う仕切りを室内空間に形成する。
【発明の効果】
【０００９】
本発明によれば、天井から縦方向に延びるように吊り架けられる少なくとも２本の吊り架け部材と、該吊り架け部材間に跨るように連結された横方向に延びる支持部材により形成される鉛直平面形枠を含むハンガーを用い、前記鉛直平面形枠内に種々の物品が吊り下げられて入居者のライフスタイルに合う仕切りを室内空間に形成することにより、魅力のある部屋作りのために「吊る」という概念を取り入れた「ハングルーム」という新しいタイプの部屋を具現化することができる。
【図面の簡単な説明】
【００１０】
【図１】本発明の好ましい実施形態に従うハングルーム用ハンガーを天井に吊り架けた状態を示す図である。
【図２】上記ハングルーム用ハンガーの構成を示す斜視図である。
【図３】上記ハングルーム用ハンガーの取り付け位置を説明する図である。
【図４】上記ハングルーム用ハンガーに種々の物品を吊下げた状態を示す図である。
【図５】上記ハングルーム用ハンガーを実際に部屋に取付けた状態を示す図である。
【図６】上記ハングルーム用ハンガーを実際に部屋に取付けた状態を示す図である。
【図７】上記ハングルーム用ハンガーを実際に部屋に取付けた状態を示す図である。
【図８】上記ハングルーム用ハンガーを実際に部屋に取付けた状態を示す図である。
【発明を実施するための形態】
【００１１】
以下、本発明の好ましい実施形態に従うハングルーム用ハンガーについて、添付図面を参照しながら詳しく説明する。但し、以下に説明する実施形態によって本発明の技術的範囲は何ら限定解釈されることはない。
【００１２】
本実施形態に従うハングルーム用ハンガーを図１及び図２に示す。図１は、ハングルーム用ハンガー１を天井２に吊り架けた状態を示しており、図２は、ハングルーム用ハンガー１の各部の構成を示している。本実施形態に従うハングルーム用ハンガー１（以下、単に「ハンガー」と称する場合がある）は、天井２から縦方向に延びるように吊り架けられる２本の吊り架け部材としての縦の棒状部材１１Ａ，１１Ｂと、この２本の縦の棒状部材間に跨るように連結される支持部材としての上下２段の横の棒状部材１２Ａ，１２Ｂを備えており、これら４本の棒状部材（１１Ａ，１１Ｂ，１２Ａ，１２Ｂ）によって囲われる長方形状の鉛直平面形枠が形成されている。
【００１３】
縦の棒状部材１１Ａ，１１Ｂ及び横の棒状部材１２Ａ，１２Ｂには、好ましくは円筒形のパイプ部材が用いられる。パイプ部材の好ましい材質は、鉄、ステンレス、アルミニウムといった金属である。但し、詳しくは後述する美術品や生活用品などの物品を吊り架けられる強度があれば、樹脂などの金属以外の材質を用いてもよい。金属製のパイプ部材を用いた場合、パイプ部材同士を例えば溶接することによって、ハンガー１を製作することができる。
【００１４】
ハンガー１の寸法は、部屋の大きさなどに応じて適宜設定可能である。室内空間を仕切るハンガー１の寸法の一例として、４本の棒状部材（１１Ａ，１１Ｂ，１２Ａ，１２Ｂ）によって形成される鉛直平面形枠の長辺（横辺）を２ｍ〜５ｍ、短辺（縦辺）を１ｍ〜３ｍの範囲内に設定することができる。さらに、縦の棒状部材１１Ａ，１１Ｂの鉛直平面形枠から天井方向に延びる部分１１Ｃの長さは、一例として、０．２ｍ〜１ｍの範囲内になるように設定することができる。パイプ部材を用いた場合の４本の棒状部材（１１Ａ，１１Ｂ，１２Ａ，１２Ｂ）の太さは、一例として、直径が１０ｍｍ〜２５ｍｍの範囲内に設定することができる。なお、縦の棒状部材１１Ａ，１１Ｂと横の棒状部材１２Ａ，１２Ｂは、同じ太さであってもよく、異なる太さであってもよい。
【００１５】
縦の棒状部材１１Ａ，１１Ｂの上部側には、縦の棒状部材１１Ａ，１１Ｂよりも外径の小さい棒状部材である高さ調整部材１３Ａ，１３Ｂが上下方向にスライド自在なように挿入されている。高さ調整部材１３Ａ，１３Ｂ自体の長さは、一例として０．５〜２ｍの範囲内に設定することができる。高さ調整部材１３Ａ，１３Ｂも、縦の棒状部材１１Ａ，１１Ｂと同様に、好ましくは円筒形のパイプ部材を用いる。特に図２に示すように、縦の棒状部材１１Ａ，１１Ｂの側周面には、円形の貫通孔１４Ａ，１４Ｂが形成されており、高さ調整部材１３Ａ，１３Ｂの側周面には、長さ方向に間隔をおいて複数の貫通孔１５Ａ，１５Ｂが形成されている。そして、固定手段としてのピン部材１６を、縦の棒状部材１１Ａ，１１Ｂの外周面から貫通孔（１４Ａと１５Ａ，１４Ｂと１５Ｂ）に通すことによって、高さ調整部材１３Ａ（１３Ｂ）が縦の棒状部材１１Ａ（１１Ｂ）に固定されるようになっている。すなわち、上下方向にスライド自在な高さ調整部材１３Ａ，１３Ｂと固定手段であるピン部材１６によって高さ調整機構が構成され、天井２に吊り架けられるハンガー１の高さ位置が調整可能になっている。ハンガー１の高さは、ハングルームの好ましい一例として、下段の横の棒状部材１２Ｂが床から例えば０．５〜１ｍ、或いは１ｍ以上の高さになるように設定することができる。さらに、高さ調整機構は、２本の縦の棒状部材１１Ａ，１１Ｂの各々に独立して設けられているので、天井２が段差になっているなど高さが異なる場合であっても、各々の長さを調節することによってハンガー１を水平姿勢に吊り架けることができるようになっている。
【００１６】
高さ調整部材１３Ａ，１３Ｂの先端には、リング部材１７Ａ，１７Ｂが設けられている。一方、天井２にはフック部材２１Ａ，２１Ｂが設けられている。そして、入居者がハンガー１を持ち上げて、高さ調整部材側のリング部１７Ａ，１７Ｂを、天井側のフック部材２１Ａ，２１Ｂに掛けることによって、ハンガー１を天井２に吊り架けることができるようになっている。但し、リング部材１７Ａ，１７Ｂとフック部材２１Ａ，２１Ｂにより構成される吊り機構は、好ましい一例であり、他の部材に変更することを制限するものではない。
【００１７】
天井側の吊り機構であるフック部材２１Ａ，２１Ｂは、天井２に複数配置することができる。図３には、一例として図１に示した部屋の全体の間取りを使って、フック部材２１の配置位置の一例を示している。なお、この部屋は、元々３ＬＤＫであったものを、リノベーションのためにワンルームとしたものである。図３には、部屋の壁に対してハンガー１が平行に取り付け可能なように複数のフック部材２１を配列した例を示している。この場合、入居者は、好みに応じて位置Ａ〜Ｋから選択される位置にハンガー１を吊り架けることが可能である。部屋内に取り付けるハンガー１は一つに限らず、複数取り付けるようにしてもよい。また、壁に対する配置も、平行に限らない。さらに、ハンガー１を吊り架けるのに使用されていないフック部材２１は、別の物品等を吊り架けるのに使用してもよい。
【００１８】
以上、ハングルーム用ハンガー１の好ましい構成の一例を示したが、変形例として次のように構成することもできる。すなわち、縦及び横の棒状部材１１Ａ，１１Ｂ，１２Ａ，１２Ｂは、直線状でなくてもよく、波型などに湾曲していてもよく、ジグザグなどに折れ曲がっていてもよい。断面形状も円形に限らない。また、天井２から縦方向に延びるように吊り架けられる吊り架け部材は、縦の棒状部材１１Ａ，１１Ｂに代えて鎖状部材などの他の部材を用いるようにしてもよい。すなわち、鉛直平面形枠が形成されていればよい。さらに、上下２段の横の棒状部材１２Ａ，１２Ｂのうち、下段の方を省略してコの字状の鉛直平面形枠としてもよい。さらには、縦の棒状部材１１Ａ，１１Ｂ及び横の棒状部材１２Ａ，１２Ｂの数を増やすようにしてもよい。さらにまた、２以上のハンガー同士を直列又は並列に、或いは９０度等の角度を持たせて連結するようにしてもよい。
【００１９】
上記ハンガー１には、一例を図４に示すように、入居者のライフスタイルに合う種々の物品を吊り下げることができる。物品の吊り下げは、特に上段側の横の棒状部材１２Ａを利用して行い、物品を鉛直平面形枠内に位置させるのが好ましい。物品は、図４（ａ）に示すように衣服や鞄等を吊り下げたり、図４（ｂ）に示すように自転車等を吊り下げたり、図４（ｃ）に示すように観賞用植物や調理器具等を吊り下げたり、図４（ｄ）に示すように絵画等を吊り下げたり、或いは、後述する映写用スクリーンを吊り下げたりすることができる。勿論、これらの美術品や生活用品は一例であり、入居者のライフスタイルに合った種々の物品を吊り下げることができる。
【実施例】
【００２０】
続いて、ハングルーム用ハンガー１を用いて実際にハングルームを構築した実施例について説明する。この実施例では、直径約２７ｍｍの鉄製のパイプ部材を用いて、鉛直平面形枠の長辺（横辺）を約２４００ｍｍ、短辺（縦辺）を約９７０ｍｍ（部分１１Ｃが約２５５ｍｍ）に設定したハンガー１を製作した。そして、図３の位置Ａ、位置Ｂ、位置Ｃにハンガー１を吊り架けてハングルームを構築した。
【００２１】
まず図５及び図６は、位置Ｂにハンガー１を吊り架けてハングルームを構築した実施例である。この実施例では、広いワンルームにおけるリビングエリアとキッチンエリアを仕切っている。図５は、リビングエリア側から見た様子を示し、図６は、キッチンエリア側から見た様子を示して。図５及び図６を見れば理解できるように、従来のパーテーションや移動式の壁で仕切るのとは、全く印象が異なる仕切りを実現しているのが明らかである。そして、入居者のライフスタイルに合った種々の物品を吊り下げることで魅力のあるハングルームを構築できていることも理解できる。
【００２２】
次に、図７は、位置Ｃにハンガー１を吊り架けてハングルームを構築した実施例である。この実施例では、広いワンルームにおけるリビングエリアと寝室エリアを仕切るようにしている。図７に示されているように、上記実施例（図５〜図６）と同様、入居者のライフスタイルに合った物品を吊り下げることで魅力のあるハングルームを構築できていることが理解できる。さらに、本実施例（図７）及び上記実施例（図５〜図６）に基づけば、広いワンルームを入居者が自由に自分好みに仕切ることができているのも理解できる。
【００２３】
続いて、図８は、位置Ａにハンガー１を吊り架けてハングルームを構築した実施例である。この実施例は、入居者が映画観賞等をする際に、ハンガー１に映写用スクリーンを吊り下げた例である。より詳しくは、一枚ものの布をハンガー１に吊り下げている。そして、プロジェクター（不図示）を使ってスクリーンに映画等を映し出す。このように、ハンガー１によって構築されるハングルームは、恒久的なものでなく、趣味に合わせて一時的に部屋を作り変えることも可能になっている。
【００２４】
以上の説明から明らかなように、天井２に吊り架けられるハングルーム用ハンガー１を用いて、入居者のライフスタイルに合う仕切りを室内空間に形成することにより、魅力のある部屋作りのために「吊る」という概念を取り入れた「ハングルーム」という新しいタイプの部屋を具現化することができる。
【００２５】
以上、本発明を具体的な実施形態に則して詳細に説明したが、形式や細部についての種々の置換、変形、変更等が、特許請求の範囲の記載により規定されるような本発明の精神及び範囲から逸脱することなく行われることが可能であることは、当該技術分野における通常の知識を有する者には明らかである。
【符号の説明】
【００２６】
１  ハングルーム用ハンガー
１１Ａ，１１Ｂ  縦の棒状部材
１２Ａ，１２Ｂ  横の棒状部材
１３Ａ，１３Ｂ  高さ調整部材
１７Ａ，１７Ｂ  リング部材
２１Ａ，２１Ｂ  フック部材
【手続補正書】
【提出日】平成29年10月22日(2017.10.22)
【手続補正１】
【補正対象書類名】特許請求の範囲
【補正対象項目名】全文
【補正方法】変更
【補正の内容】
【特許請求の範囲】
【請求項１】
天井から縦方向に延びるように吊り架けられる少なくとも２本の吊り架け部材と、該吊り架け部材間に跨るように連結された横方向に延びる支持部材により形成される鉛直平面形枠によって成るハングルーム用ハンガーであって、
前記鉛直平面形枠内が空間を形成しており、該空間内に種々の物品が吊り下げられることによって、入居者のライフスタイルに合う仕切りを室内空間に形成することを特徴とするハングルーム用ハンガー。
【請求項２】
前記吊り架け部材は、天井側に設置された吊り機構に着脱可能になっており、
前記吊り機構を天井に複数設置して、前記ハングルーム用ハンガーが室内空間の入居者の好みの位置に吊り架け自在になっていることを特徴とする請求項１に記載のハングルーム用ハンガー。
【請求項３】
観賞用植物，絵画などの美術品、及び／又は、衣服，食器，自転車，映写スクリーンなどの生活用品を前記鉛直平面形枠内に形成される空間内に吊り下げて入居者のライフスタイルに合う仕切りを室内空間に形成することを特徴とする請求項１又は２に記載のハングルーム用ハンガー。